(57)【要約】【課題】ネットワークや監視制御装置の負荷を増大させることなく、短時間で生存確認を行うこと。【解決手段】ネットワークに接続される複数の被監視装置と、被監視装置を監視する監視制御装置とを備えるネットワーク監視システムであって、監視制御装置ＭＳ１は、複数の被監視装置の属性情報を被監視装置データ記憶部ＭＳ１１２に記憶し、属性情報をもとに複数の被監視装置をグループ化し、グループ化対応付けテーブルＭＳ１１３に記憶する。監視制御装置ＭＳ１は、グループ化対応付けテーブルＭＳ１１３に基づいてグループ化された被監視装置のそれぞれに同一グループ内の他の被監視装置のＩＰアドレスを設定する。被監視装置のそれぞれは、設定されたＩＰアドレスに基づいて同一グループ内の他の被監視装置の生存を確認する。【選択図】      図２
2011244095.tif 000002
【特許請求の範囲】
【請求項１】
ネットワークに接続される複数の被監視装置と、前記被監視装置を監視する監視制御装置とを備えるネットワーク監視システムであって、
前記監視制御装置は、
前記複数の被監視装置の属性情報を記憶する記憶手段と、
前記属性情報をもとに前記複数の被監視装置をグループ化するグループ化手段と、
前記グループ化された被監視装置のそれぞれに同一グループ内の他の被監視装置のＩＰ（Internet Protocol）アドレスを設定する設定手段とを具備し、
前記被監視装置のそれぞれは、
前記設定されたＩＰアドレスに基づいて同一グループ内の他の被監視装置の生存を確認する確認手段を具備することを特徴とするネットワーク監視システム。
【請求項２】
前記監視制御装置は、前記被監視装置のそれぞれからＡＲＰ（Address Resolution Protocol）テーブルを読み出す読出手段をさらに具備し、
前記記憶手段は、前記ＡＲＰテーブルに含まれるＭＡＣ（Media Access Control）アドレスを前記属性情報に記憶し、
前記グループ化手段は、前記属性情報をもとに同一のＭＡＣアドレスを含むＡＲＰテーブルを保持する被監視装置をグループ化することを特徴とする請求項１記載のネットワーク監視システム。
【請求項３】
前記記憶手段は、前記被監視装置のデフォルトゲートウェイアドレスを前記属性情報に記憶し、
前記グループ化手段は、前記属性情報をもとに同一のデフォルトゲートウェイアドレスを有する被監視装置をグループ化することを特徴とする請求項１記載のネットワーク監視システム。
【請求項４】
前記記憶手段は、前記被監視装置のネットワークアドレスを前記属性情報に記憶し、
前記グループ化手段は、前記属性情報をもとに同一のネットワークアドレスを有する被監視装置をグループ化することを特徴とする請求項１記載のネットワーク監視システム。
【請求項５】
前記記憶手段は、前記被監視装置の設置されている交換局、都道府県、市町村のいずれかを含む装置識別子を前記属性情報に記憶し、
前記グループ化手段は、前記属性情報をもとに同一の交換局、都道府県又は市町村に属する被監視装置をグループ化することを特徴とする請求項１記載のネットワーク監視システム。
【請求項６】
前記記憶手段は、前記被監視装置の位置情報を前記属性情報に記憶し、
前記グループ化手段は、前記属性情報をもとに一定範囲のエリア毎に設置された被監視装置をグループ化することを特徴とする請求項１記載のネットワーク監視システム。
【請求項７】
前記監視制御装置は、前記グループ化した被監視装置の中の任意の１つの被監視装置に対して生存確認を行い、正常応答がない場合に前記被監視装置が属するグループ内の全被監視装置に対して生存確認を行う手段をさらに具備することを特徴とする請求項１記載のネットワーク監視システム。
【請求項８】
前記設定手段は、前記被監視装置に対してさらに他グループの被監視装置のＩＰアドレスを設定し、
前記確認手段は、前記設定された他グループの被監視装置のＩＰアドレスに基づいて、前記他グループの被監視装置の生存を確認することをさらに特徴とする請求項１記載のネットワーク監視システム。
【請求項９】
ネットワークに接続される複数の被監視装置と、前記被監視装置を監視する監視制御装置とを備えるネットワーク監視システムに用いられる方法であって、
前記監視制御装置において、
前記複数の被監視装置の属性情報を記憶する記憶ステップと、
前記属性情報をもとに前記複数の被監視装置をグループ化するグループ化ステップと、
前記グループ化された被監視装置のそれぞれに同一グループ内の他の被監視装置のＩＰ（Internet Protocol）アドレスを設定する設定ステップとを有し、
前記被監視装置において、
前記設定されたＩＰアドレスに基づいて同一グループ内の他の被監視装置の生存を確認する確認ステップを有することを特徴とするネットワーク監視方法。
【請求項１０】
前記監視制御装置において、前記被監視装置のそれぞれからＡＲＰ（Address Resolution Protocol）テーブルを読み出す読出ステップをさらに有し、
前記記憶ステップは、前記ＡＲＰテーブルに含まれるＭＡＣ（Media Access Control）アドレスを前記属性情報に記憶し、
前記グループ化ステップは、前記属性情報をもとに同一のＭＡＣアドレスを含むＡＲＰテーブルを保持する被監視装置をグループ化することを特徴とする請求項９記載のネットワーク監視方法。
【請求項１１】
前記記憶ステップは、前記被監視装置のデフォルトゲートウェイアドレスを前記属性情報に記憶し、
前記グループ化ステップは、前記属性情報をもとに同一のデフォルトゲートウェイアドレスを有する被監視装置をグループ化することを特徴とする請求項９記載のネットワーク監視方法。
【請求項１２】
前記記憶ステップは、前記被監視装置のネットワークアドレスを前記属性情報に記憶し、
前記グループ化ステップは、前記属性情報をもとに同一のネットワークアドレスを有する被監視装置をグループ化することを特徴とする請求項９記載のネットワーク監視方法。
【請求項１３】
前記記憶ステップは、前記被監視装置の設置されている交換局、都道府県、市町村のいずれかを含む装置識別子を前記属性情報に記憶し、
前記グループ化ステップは、前記属性情報をもとに同一の交換局、都道府県又は市町村に属する被監視装置をグループ化することを特徴とする請求項９記載のネットワーク監視方法。
【請求項１４】
前記記憶ステップは、前記被監視装置の位置情報を前記属性情報に記憶し、
前記グループ化ステップは、前記属性情報をもとに一定範囲のエリア毎に設置された被監視装置をグループ化することを特徴とする請求項９記載のネットワーク監視方法。
【請求項１５】
前記監視制御装置において、前記グループ化した被監視装置の中の任意の１つの被監視装置に対して生存確認を行い、正常応答がない場合に前記被監視装置が属するグループ内の全被監視装置に対して生存確認を行うステップをさらに有することを特徴とする請求項９記載のネットワーク監視方法。
【請求項１６】
前記設定ステップは、前記被監視装置に対してさらに他グループの被監視装置のＩＰアドレスを設定し、
前記確認ステップは、前記設定された他グループの被監視装置のＩＰアドレスに基づいて、前記他グループの被監視装置の生存を確認することをさらに特徴とする請求項９記載のネットワーク監視方法。
【発明の詳細な説明】
【技術分野】
【０００１】
本発明の実施形態は、ネットワークに接続された複数の被監視装置の生存確認を行うネットワーク監視システム及びネットワーク監視方法に関する。
【背景技術】
【０００２】
監視制御装置がネットワーク上の多数の被監視装置の生存確認を行うとき、被監視装置数が増大すると一定時間内に生存確認を行わなければならない監視制御装置の負荷が増大し、生存確認用のパケットが多数ネットワークに流れるためネットワーク負荷も増大する。このため、被監視装置数が極端に多い場合には監視制御装置の性能を向上させたり、ネットワーク帯域を広げるといった対策を採るとともに、被監視装置が監視制御装置の指示により生存確認機能を代行したり、被監視装置が自立的に他の被監視装置の生存確認を行うことが考案されている。
【先行技術文献】
【特許文献】
【０００３】
【特許文献１】特開平６−１７５９４４号公報
【発明の概要】
【発明が解決しようとする課題】
【０００４】
しかしながら、従来の技術では被監視制御装置の数が膨大になると、特定の被監視制御装置の負荷が増大したり、被監視装置をグループ化する際にグループ数が多くなり監視制御装置の負荷が増大したりするために、生存確認の障害検出／復旧時間が長くかかるという問題があった。
【０００５】
本実施形態の目的は、ネットワークや監視制御装置の負荷を増大させることなく、短時間で生存確認を行うことができるネットワーク監視システム及びネットワーク監視方法を提供することにある。
【課題を解決するための手段】
【０００６】
本実施形態に係るネットワーク監視システムは、ネットワークに接続される複数の被監視装置と、前記被監視装置を監視する監視制御装置とを備えるネットワーク監視システムであって、前記監視制御装置は、前記複数の被監視装置の属性情報を記憶する記憶手段と、前記属性情報をもとに前記複数の被監視装置をグループ化するグループ化手段と、前記グループ化された被監視装置のそれぞれに同一グループ内の他の被監視装置のＩＰ（Internet Protocol）アドレスを設定する設定手段とを具備し、前記被監視装置のそれぞれは、前記設定されたＩＰアドレスに基づいて同一グループ内の他の被監視装置の生存を確認する確認手段を具備することを特徴とする。
【０００７】
また、本実施形態に係るネットワーク監視方法は、ネットワークに接続される複数の被監視装置と、前記被監視装置を監視する監視制御装置とを備えるネットワーク監視システムに用いられる方法であって、前記監視制御装置において、前記複数の被監視装置の属性情報を記憶する記憶ステップと、前記属性情報をもとに前記複数の被監視装置をグループ化するグループ化ステップと、前記グループ化された被監視装置のそれぞれに同一グループ内の他の被監視装置のＩＰ（Internet Protocol）アドレスを設定する設定ステップとを有し、前記被監視装置において、前記設定されたＩＰアドレスに基づいて同一グループ内の他の被監視装置の生存を確認する確認ステップを有することを特徴とする。
【図面の簡単な説明】
【０００８】
【図１】本実施形態に係るネットワーク監視システムの構成を示す図である。
【図２】監視制御装置の構成を示すブロック図である。
【図３】本システムにおける生存確認動作を示す図である。
【図４】実施例１のグループ対応付けテーブルを示す図である。
【図５】実施例２のグループ対応付けテーブルを示す図である。
【図６】実施例３のグループ対応付けテーブルを示す図である。
【図７】実施例４のグループ対応付けテーブルを示す図である。
【図８】実施例５のグループ対応付けテーブルを示す図である。
【図９】実施例６の生存確認動作を示す図である。
【図１０】実施例７の生存確認動作を示す図である。
【発明を実施するための形態】
【０００９】
以下、図面を参照しながら本実施形態に係るネットワーク監視システム及びネットワーク監視方法を説明する。
【００１０】
図１は、本実施形態に係るネットワーク監視システムの構成を示す図である。
【００１１】
多数の被監視装置とそれらの生存確認を行う監視制御装置ＭＳ１とがネットワークＮＷにより接続されている。監視制御装置ＭＳ１はＩＰ（Internet Protocol）アドレスを被監視装置に設定する手段を備え、被監視装置は監視制御装置ＭＳ１より設定されたＩＰアドレス宛に定期的に生存確認用のパケットを送信し、正常な応答がなかった場合に監視制御装置ＭＳ１に通知を行う手段を備える。
【００１２】
図１において、ネットワークＮＷにはスイッチＳＷ１，ＳＷ２を介して、基地局ＢＳ１，ＢＳ２、ＩＰ交換機ＥＸ１，ＥＸ２、分離型基地局（制御部：ＢＢＵ）Ｂ１，分離型基地局（無線部：ＲＲＵ）Ｒ１，Ｒ２、および無線端末ＰＳ１，ＰＳ２，ＰＳ３が接続されており、無線ネットワークを構成している。監視制御装置ＭＳ１は、被監視装置として、基地局ＢＳ１，ＢＳ２、ＩＰ交換機ＥＸ１，ＥＸ２、および分離型基地局Ｂ１，Ｒ１，Ｒ２の監視制御をネットワークＮＷを介して行っている。
【００１３】
図２は、監視制御装置ＭＳ１の構成を示すブロック図である。監視制御装置ＭＳ１は運用系サーバＭＳ１１、待機系サーバＭＳ１２および表示・操作部ＭＳ１３により構成されている。なお、図２では、運用系サーバＭＳ１１と待機系サーバＭＳ１２とを備える冗長構成であるが、運用系サーバＭＳ１１のみで構成してもよい。また、図２において、運用系サーバＭＳ１１と待機系サーバＭＳ１２とは、同一構成であるため重複する説明を省略し、待機系サーバＭＳ１２の説明は必要な場合にのみ行う。運用系サーバＭＳ１１は演算部ＭＳ１１１、被監視装置データ記憶部ＭＳ１１２、グループ対応付けテーブル記憶部ＭＳ１１３、および表示・操作部ＭＳ１３との通信、被監視装置との通信を行うＩＰインタフェースＭＳ１１４を備える。
【００１４】
監視制御装置ＭＳ１は、被監視装置の装置種別、設置／収容されている交換局、被監視装置のＩＤおよび被監視装置のＩＰアドレスなどを含む属性情報をデータベース化して被監視装置データ記憶部ＭＳ１１２，ＭＳ１２２に記憶している。グループ対応付けテーブル記憶部ＭＳ１１３には、被監視装置をグループ化するために必要なデータおよびグループの情報が記憶されており、生存確認動作は演算部ＭＳ１１１，ＭＳ１２１によりこの情報に基づいて行われる。また、監視制御装置ＭＳ１は、被監視装置に生存確認用のパケットを送信し、被監視装置から正常応答を受信できたか否かを判定する。
【００１５】
被監視装置は、他の被監視装置の生存確認を行うために、生存確認を行う対象である被監視装置のＩＰアドレスを監視制御装置ＭＳ１により設定され、この生存確認用のＩＰアドレスを記憶する。被監視制御装置は、監視制御装置ＭＳ１により生存確認用ＩＰアドレスが設定されている場合には、定期的にそのＩＰアドレス宛に生存確認用パケットを送信し、正常応答が受信されるか否かを判定する。正常応答を受信しなかった場合には、被監視装置は監視制御装置ＭＳ１に障害通知を行う。
【００１６】
監視制御装置ＭＳ１はグループ対応付けテーブル記憶部ＭＳ１１３，ＭＳ１２３に記憶されるグループ対応付けテーブルを更新する際に、被監視装置をいずれかのグループに割り当て、グループ内の他の被監視装置に対して生存確認をするように、生存確認用ＩＰアドレスを被監視装置に設定する。例えば、新たな被監視装置を追加する場合には以下の手順による。
【００１７】
（１１）監視制御装置ＭＳ１は被監視装置データ記憶部ＭＳ１１２に新たな被監視装置を追加する。  
（１２）新たな被監視装置をいずれか１つのグループに割り当てる。  
（１３）グループに登録されている既存の被監視装置を１つ選択する。  
（１４）既存の被監視装置に設定されている生存確認用ＩＰアドレスを新たな被監視装置に設定する。  
（１５）既存の被監視装置の生存確認用ＩＰアドレスに新たな被監視装置のＩＰアドレスを設定する。
【００１８】
このように監視制御装置ＭＳ１がグループ対応付けテーブルを保持し、被監視装置に生存確認用ＩＰアドレスを設定することにより、すべての被監視装置はそれぞれ別の被監視装置の生存確認を行うので、監視制御装置ＭＳ１の負荷を増大させることなく、多数の被監視装置の生存確認を行うことができる。
【００１９】
図３は、以上の手順により構成されたシステムの生存確認動作を示すものである。上記手順により被監視装置ＮＥ１，ＮＥ２，ＮＥ３がグループ番号１に割り当てられている。監視制御装置ＭＳ１は、被監視装置ＮＥ１に対して、グループ内の他の被監視装置（例えば被監視装置ＮＥ２）のＩＰアドレスを生存確認用ＩＰアドレスに設定する。同様に被監視装置ＮＥ２の生存確認用ＩＰアドレスには被監視装置ＮＥ３のＩＰアドレス、被監視装置ＮＥ３の生存確認用ＩＰアドレスには被監視装置ＮＥ１のＩＰアドレスを設定する。このようにグループ内の被監視装置がすべて生存確認動作を行うことにより、被監視装置数の増加により被監視装置や監視制御装置の負荷を増大させることなく、短時間に生存確認を行うことが可能である。
【００２０】
次に、グループ化を自動的に行うための手法を各実施例に従って説明する。  
（実施例１）  
被監視装置は、ＬＡＮでネットワークＮＷに接続されており、ＩＰパケットを送信するためのＩＰアドレスと物理アドレス（ＭＡＣ（Media Access Control）アドレス）とを対応付けたテーブル（以下、ＡＲＰ（Address Resolution Protocol）テーブルと称する。）を保持している。監視制御装置ＭＳ１は各被監視装置が保持しているＡＲＰテーブルを読み出して、ＡＲＰテーブルに含まれる物理アドレスと、被監視装置ＩＤおよび割り当てグループと対応させるテーブル（以下、ＡＲＰ−グループ対応テーブルと称する。）を監視制御装置ＭＳ１のグループ対応付けテーブル記憶部ＭＳ１１３，ＭＳ１２３に保持する。割り当ての手順は以下のとおりである。
【００２１】
（２１）被監視装置ＮＥ１からＡＲＰテーブルを読み出す。
（２２）ＡＲＰ−グループ対応テーブルに、ＡＲＰテーブルに含まれている物理アドレスと被監視装置ＮＥ１の被監視装置ＩＤを記憶し、グループ番号１を割り当てる。
（２３）次の被監視装置ＮＥ２からＡＲＰテーブルを読み出す。  
（２４）ＡＲＰ−グループ対応テーブルに記憶されている物理アドレスと新しく読み出したＡＲＰテーブルに記載されている物理アドレスとを比較し、重複しているものがあればグループ番号１に被監視装置ＮＥ２の被監視装置ＩＤと、重複していない物理アドレスを追加する。重複している物理アドレスがなければ新しいグループ番号２を割り当てる。  
（２５）上記（２３）と（２４）とを繰り返すことにより全被監視装置をグループに割りつける。
【００２２】
図４は、被監視装置ＮＥ１，ＮＥ２，ＮＥ３からＡＲＰテーブルを読み出し、グループへの割り当てを行った場合の例である。上記手順に従い、最初に被監視装置ＮＥ１のＡＲＰテーブルを読み出し、物理アドレスＭＡＣ１，ＭＡＣ２，ＭＡＣ３と被監視装置ＮＥ１の被監視装置ＩＤをＡＲＰ−グループ対応テーブルに登録しグループ番号１を割り当てる。次に被監視装置ＮＥ２のＡＲＰテーブルを読み出し、物理アドレスＭＡＣ４，ＭＡＣ５をＡＲＰ−グループ対応テーブルを比較するが、重複していないので物理アドレスＭＡＣ４，ＭＡＣ５および被監視装置ＮＥ２の被監視装置ＩＤを新たに登録グループ番号２に割り当てる。被監視装置ＮＥ３のＡＲＰテーブルに含まれる物理アドレスのうちＭＡＣ２，ＭＡＣ３は、グループ番号１の物理アドレスと重複するので、被監視装置ＮＥ３と、被監視装置ＮＥ３のＡＲＰテーブルに含まれる物理アドレスＭＡＣ６，ＭＡＣ７をグループ番号１に追加する。
【００２３】
上記実施例１の手法によれば、ＬＡＮ上の同一セグメントに配置されている被監視装置をまとめてグループ化できるので、同一グループの被監視装置に生存確認用パケットを送信する場合、パケットはセグメント外に出ないので、生存確認用パケットを頻繁に送信してもネットワークのトラフィックの増大を最小限に抑えることができる。
【００２４】
（実施例２）  
被監視装置はＬＡＮを用いて通信するために、デフォルトゲートウェイアドレス（以下、デフォルトＧＷと称する。）を保持している。監視制御装置ＭＳ１は被監視装置のデフォルトゲートウェイアドレスを設定または読み出す機能を有し、デフォルトＧＷと被監視装置ＩＤとをグループ番号と対応させるテーブル（以下、ＧＷ−グループ対応テーブルと称する。）をグループ対応付けテーブル記憶部ＭＳ１１３，ＭＳ１２３に保持し、同一のデフォルトＧＷを持つ被監視装置をグループ化する。
【００２５】
図５は、実施例２の手順を説明するもので、各被監視装置ＮＥ１，ＮＥ２，ＮＥ３，ＮＥ４の保持するデフォルトＧＷがそれぞれＧＷ１，ＧＷ２，ＧＷ３，ＧＷ１であったとき、被監視装置ＮＥ１，ＮＥ２，ＮＥ３はデフォルトＧＷが異なるので、それぞれグループ番号１，グループ番号２，グループ番号３が割り当てられる。被監視装置ＮＥ４のデフォルトＧＷはＧＷ１となっており、グループ番号１が割り当てられているので、被監視装置ＮＥ４はグループ番号１に追加される。
【００２６】
上記実施例２の手法によれば、同一のデフォルトゲートウェイアドレスを持つ被監視装置をグループ化できるので、同一グループの被監視装置に生存確認用パケットを送信する場合、パケットは１つのデフォルトＧＷに接続されるサブネットの外に出ないので、生存確認用パケットを頻繁に送信してもネットワークのトラフィックの増大を最小限に抑えることができる。
【００２７】
（実施例３）  
被監視装置はＬＡＮを用いて通信するために、ＩＰアドレスおよびサブネットマスクを保持している。監視制御装置ＭＳ１は被監視装置のＩＰアドレスとサブネットマスクを設定または読み出す機能を有し、ＩＰアドレスとサブネットマスクの論理積により求められるネットワークアドレスと被監視装置をグループ番号と対応付けるテーブル（以下、ネットワークアドレス−グループ対応テーブルと称する。）をグループ対応付けテーブル記憶部ＭＳ１１３，ＭＳ１２３に保持し、同一のネットワークアドレスを持つ被監視装置をグループ化する。
【００２８】
図６は、実施例３の手順を説明するもので、各被監視装置ＮＥ１，ＮＥ２，ＮＥ３の保持するＩＰアドレスはそれぞれＮＥ−ＩＰ１，ＮＥ−ＩＰ２，ＮＥ−ＩＰ３、サブネットマスクはすべてＳＮＥＴ１である。ＩＰアドレスとサブネットマスクの論理積がそれぞれＮＡＤＲ１，ＮＡＤＲ２，ＮＡＤＲ１である場合、被監視装置ＮＥ１と被監視装置ＮＥ２はＩＰアドレスとサブネットマスクの論理積がＮＡＤＲ１とＮＡＤＲ２で異なるので、それぞれグループ番号１、グループ番号２に割り当てられる。被監視装置ＮＥ３のＩＰアドレスとサブネットマスクの論理積は、被監視装置ＮＥ１と同じＮＡＤＲ１なので被監視装置ＮＥ３はグループ番号１に追加される。
【００２９】
上記実施例３の手法によれば、同一のネットワークアドレスを持つ被監視装置をグループ化できるので、同一グループの被監視装置に生存確認用パケットを送信する場合、パケットはサブネットの異なるネットワークに出ないので、生存確認用パケットを頻繁に送信してもネットワークのトラフィックの増大を最小限に抑えることができる。
【００３０】
（実施例４）  
被監視装置のＩＤは、例えば１２桁で構成され、図７に示すとおり装置識別子（１桁）、都道府県コード（３桁）、交換局コード（４桁）、ＩＤ（３桁）、連番（１桁）を含むものとする。監視制御装置ＭＳ１は、被監視装置ＩＤの中の都道府県コードもしくは交換局コードにより同一都道府県、または同一交換局内に設置されている被監視装置をグループ化したグループ対応付けテーブル記憶部ＭＳ１１３，ＭＳ１２３に保持する。なお、被監視装置のＩＤが市町村コードを含む場合には、市町村コードにより同一市町村内に設置されている被監視装置をグループ化することもできる。
【００３１】
図７は交換局コードによりグループ化した場合の例である。被監視装置はＬ２ＳＷを内蔵することができ、１つの交換局に複数の被監視装置が設置される場合、Ｌ２ＳＷを内蔵しない被監視装置はＬ２ＳＷを内蔵する被監視装置のＬ２ＳＷを共用する。交換局コードでグループ化する場合には、生存確認用パケットがＬ２ＳＷを共用する同一交換局の被監視装置に対して送信されるので、生存確認用パケットが交換局外に送出されることを少なくする効果がある。
【００３２】
（実施例５）  
被監視装置はＧＰＳ（Global Positioning System）機能を有し、もしくは、位置情報（緯度および経度）を保持している。監視制御装置ＭＳ１は被監視装置の緯度および経度情報（以下、被監視装置位置情報と称する。）を設定または読み出す機能を有し、被監視装置位置情報をグループに対応付けたテーブル（以下、位置−グループ対応テーブルと称する。）をグループ対応付けテーブル記憶部ＭＳ１１３，ＭＳ１２３に保持し、一定範囲のエリア毎に設置された被監視装置をグループ化する。図８は、位置−グループ対応テーブルの例を示したもので、被監視装置位置情報（緯度および経度）によりグループ番号を一意に決定することができる。
【００３３】
上記実施例５の手法によれば、同一のエリアに設置された被監視装置をグループ化できるので、同一グループの被監視装置に生存確認用パケットを送信する場合、パケットは異なるエリアに出ないので、生存確認用パケットを頻繁に送信してもネットワークのトラフィックの増大を最小限に抑えることができる。
【００３４】
（実施例６）  
上記各実施例により被監視装置のグループ化を行うが、グループ化の結果１つのグループに属する被監視装置数が多くなる場合には、さらに複数のグループ化手段を併用することも可能である。グループ化の手法により被監視装置数が増大しても、監視制御装置の負荷やネットワークトラフィックの負荷を抑えることが可能であるが、一方では、広域障害の検出が難しいという問題が発生するため、実施例６では、図９に示すように監視制御装置ＭＳ１による被監視装置の生存確認を併用する。
【００３５】
監視制御装置ＭＳ１は、被監視装置をグループ化した後、グループ内に代表となる被監視装置を決定し、代表となる被監視装置に対して生存確認用パケットを送信し、応答が正常であるか否かを判定する。正常でなかった場合には、グループに属するすべての被監視装置に対して生存確認用パケットを送信し、応答が正常であるか否かを判定する。本実施例６によれば、広域障害によりグループ内の全被監視装置が監視制御装置ＭＳ１と通信不能な状況にあっても障害を検出することが可能である。
【００３６】
（実施例７）  
さらにグループが多数存在する場合には、グループ間で階層的に生存確認を実施することで監視制御装置ＭＳ１の負荷を低減することができる。被監視装置は第２の生存確認用ＩＰアドレスを記憶し、監視制御装置ＭＳ１は各グループ内に代表となる被監視装置（以下、代表被監視制御装置と称する。）を決定する。監視制御装置ＭＳ１は代表被監視制御装置に他のグループの代表被監視装置のアドレスを第２の生存確認用ＩＰアドレスに設定する。これを繰り返すと図１０に示すように、生存確認を多重ループ状に行うようになり、グループ間の生存確認も被監視装置が実施できるので監視制御装置ＭＳ１の負荷を低減する効果がある。
【００３７】
なお、本実施例７ではグループ内の被監視制御装置が検出する生存確認の障害と、代表被監視装置が検出するグループ間の生存確認の障害を区別するために第２の生存確認用ＩＰアドレスを用いているが、第２の生存確認用ＩＰアドレスを用いなくてもグループ間の生存確認を行うように第１の生存確認用ＩＰアドレスを設定してもよい。
【００３８】
以上述べたように、本実施形態によれば、すべての被監視装置が均等に生存確認を行なうことで、被監視装置数が増大しても特定の被監視装置や監視制御装置の負荷を増大させることがなく、生存確認による障害検出／復旧を短時間で行うことができる。
【００３９】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００４０】
ＭＳ１…監視制御装置、ＮＷ…ネットワーク、ＳＷ１，ＳＷ２…スイッチ、Ｂ１…分離型基地局（制御部）、Ｒ１，Ｒ２…分離型基地局（無線部）、ＢＳ１，ＢＳ２…基地局、ＥＸ１，ＥＸ２…ＩＰ交換機、ＭＳ１１…運用系サーバ、ＭＳ１２…待機系サーバ、ＭＳ１３…表示・操作部、ＭＳ１１１，ＭＳ１２１…演算部、ＭＳ１１２，ＭＳ１２２…被監視装置データ記憶部、ＭＳ１１３，ＭＳ１２３…グループ対応付けテーブル記憶部、ＭＳ１１４，ＭＳ１２４…ＩＰインタフェース。
【図１】
2011244095.tif 000003
【図２】
2011244095.tif 000004
【図３】
2011244095.tif 000005
【図４】
2011244095.tif 000006
【図５】
2011244095.tif 000007
【図６】
2011244095.tif 000008
【図７】
2011244095.tif 000009
【図８】
2011244095.tif 000010
【図９】
2011244095.tif 000011
【図１０】
2011244095.tif 000012